(57)【要約】【課題】横電界駆動方式の半透過型液晶表示装置において、透過表示部と反射表示部とで良好な表示を行うことである。【解決手段】マトリクス状に配置されるデータライン３１とゲートライン２９の各交差箇所に配置されるスイッチング素子２５は、その出力端に画素電極３６が設けられ、容量を介して共通電極との間に電界がかけられる。この共通電極を、透過表示部用の共通電極を透過表示用共通電極４２とし、反射表示部用の共通電極を反射表示用共通電極４１として、それぞれを独立とし、透過表示用共通電極４２の電位と、反射表示用共通電極４１の電位とを互いに逆相とする。別の方法として、スイッチング素子を透過表示部用と反射表示部用にそれぞれ用い、画素電極と共通電極とを透過表示部用と反射表示部用とでそれぞれ独立とすることもできる。【選択図】図８
2008165054.tif 000002
【特許請求の範囲】
【請求項１】
素子基板と対向基板との間に液晶層を挟持し、反射表示部と透過表示部とを含む半透過型液晶表示装置であって、
素子基板は、
複数のデータラインと複数のゲートラインと、
前記データラインと前記ゲートラインとの各交差箇所にそれぞれ配置された複数のスイッチング素子と、
前記複数のスイッチング素子の各出力端にそれぞれ接続される複数の画素電極と、
前記画素電極との間に電界をかけることで液晶分子を駆動するための共通電極と、
を有し、
前記共通電極は、
反射表示用共通電極と、透過表示用共通電極とからなり、前記反射表示用共通電極の電位と前記透過表示用共通電極の電位は、互いに逆相であることを特徴とする半透過型液晶表示装置。
【請求項２】
請求項１に記載の半透過型液晶表示装置において、
前記ゲートラインを共通にする前記反射表示用共通電極の電位と前記透過表示用共通電極の電位を互いに逆相とし、当該ゲートラインに選択信号が入力される直前の帰線期間中に電位を反転させ、選択信号が入力された後もその電位を１垂直期間の間保持させる制御回路を含むことを特徴とする半透過型液晶表示装置。
【請求項３】
素子基板と対向基板との間に液晶層を挟持し、反射表示部と透過表示部とを有する半透過型液晶表示装置であって、
前記素子基板は、
複数のデータラインと複数のゲートラインと、
前記データラインと前記ゲートラインとの各交差箇所のそれぞれに対応して対をなして配置された複数のスイッチング素子と、
前記一対のスイッチング素子の各出力端にそれぞれ接続される反射表示部と透過表示部のそれぞれに設けられた画素電極と、
前記画素電極との間に電界がかけられることで液晶分子が駆動される複数の共通電極と、
を有し、
前記共通電極は、
反射表示用共通電極と、透過表示用共通電極とからなり、前記反射表示用共通電極の電位と前記透過表示用共通電極の電位は、互いに逆相であることを特徴とする半透過型液晶表示装置。
【請求項４】
請求項３に記載の半透過型液晶表示装置において、
前記ゲートラインごとの前記反射表示用共通電極は、表示領域の外側で反射表示用共通電極端子として互いに接続され、
前記ゲートラインごとの前記透過表示用共通電極は、前記表示領域の外側で透過表示用共通電極端子として互いに接続され、
前記反射表示用共通電極端子の電位と前記透過表示用共通電極端子の電位とは、互いに逆相で、かつ１水平期間ごとに電位が反転することを特徴とする半透過型液晶表示装置。
【請求項５】
請求項３に記載の半透過型液晶表示装置において、
前記ゲートラインの奇数行の前記反射表示用共通電極と偶数行の前記透過表示用共通電極とが、表示領域の外側で第１共通電極端子として互いに接続され、前記ゲートラインの偶数行の前記反射表示用共通電極と奇数行の前記透過表示用共通電極とが、前記表示領域の外側で第２共通電極端子として互いに接続され、
前記第１共通電極端子の電位と前記第２共通電極端子の電位とは、互いに逆相で、かつ１画面走査ごとに電位が反転することを特徴とする半透過型液晶表示装置。
【請求項６】
請求項１から請求項５のいずれか１に記載の半透過型液晶表示装置において、
前記反射表示用共通電極及び前記透過表示用共通電極は、所定の周期で交流駆動され、その電位が低電位にあるときには、前記画素電極に前記データラインより正極性電位が供給され、その電位が高電位にあるときには、前記画素電極に前記データラインより負極性電位が供給されることを特徴とする半透過型液晶表示装置。
【請求項７】
請求項１から請求項５のいずれか１に記載の半透過型液晶表示装置において、
前記液晶層の厚さは、前記反射表示部が位相差Δｎｄ＝λ／４、前記透過表示部が位相差Δｎｄ＝λ／２であることを特徴とする半透過型液晶表示装置。
【発明の詳細な説明】
【技術分野】
【０００１】
本発明は、半透過型液晶表示装置に係り、特に、素子基板と対向基板との間に液晶層を挟持し、素子基板の画素電極と共通電極の間に電界をかけて液晶分子を駆動し、反射表示部と透過表示部とを含む半透過型液晶表示装置に関する。
【背景技術】
【０００２】
携帯電話、ＰＤＡ（Ｐｅｒｓｏｎａｌ  Ｄｉｇｉｔａｌ  Ａｓｓｉｓｔａｎｔ）、ディジタルスチルカメラ、ディジタルビデオカメラ等に代表される携帯機器用の液晶表示装置には、屋外から室内まで、多様な環境下において高い視認性が要求される。そのような背景の中で、近年、サブピクセル内に透過表示部と反射表示部とを兼ね備えた、いわゆる半透過型液晶表示装置が注目されている。
【０００３】
従来、半透過型液晶表示装置としては、素子基板の画素電極と対向基板の対向電極との間の電界で液晶分子を駆動するいわゆる縦電界駆動方式を用いるものが一般的であった。サブピクセル内に透過表示部と反射表示部とを設ける半透過型液晶表示装置においては、反射表示部の光路が透過表示部の光路の倍になることから、透過型表示モードでは半波長（λ／２）光変調を、反射型表示モードでは四分の一波長（λ／４）光変調を用いる必要があり、例えば、サブピクセル内に異なる液晶層厚さ（セルギャップ）を設けることで対応している。
【０００４】
高視野角、高コントラストの超過表示で知られるＦＦＳ（Ｆｒｉｎｇｅ  Ｆｉｅｌｄ  Ｓｗｉｔｃｈｉｎｇ）、ＩＰＳ（Ｉｎ  Ｐｌａｎｅ  Ｓｗｉｔｃｈｉｎｇ）等の、いわゆる横電界駆動方式の半透過型液晶表示装置は、従来に比べて良好な視認性が期待できる。しかし、従来のようなセルギャップを調整する構成を用いて横電界駆動方式を適用すると、透過表示部がノーマリブラック、反射表示部がノーマリホワイトとなる課題が指摘されている。
【０００５】
例えば、特許文献１には、液晶層に横電界を印加する半透過型ＩＰＳ方式において、そのままでは、反射表示部が明表示のとき透過表示部では暗表示となり、またはその逆の関係となり、反射表示部と透過表示部とは互いに異なる印加電圧依存性になることを指摘している。そして、これを解決するため、反射表示部に、リタデーションが２分の１波長となる内蔵位相板を形成し、かつ反射表示部の液晶層のリタデーションを４分の１波長とすることが開示されている。
【０００６】
また、特許文献２には、半透過型液晶表示装置を横電界で駆動すると、反射領域はノーマリホワイト、透過領域はノーマリブラックとなることを指摘している。そして、これを解決するため、下部側基板と下部側基板の側に設置した偏光板との間に２分の１波長板を配置することが開示されている。
【０００７】
なお、透過表示部がノーマリブラック、反射表示部がノーマリホワイトとなる機構については、本発明に係る実施の形態と比較して、後に詳述する。
【０００８】
【特許文献１】特開２００５−３３８２５６号公報
【特許文献２】特開２００３−３４４８３７号公報
【発明の開示】
【発明が解決しようとする課題】
【０００９】
上記のように、いわゆる横電界駆動方式の半透過型液晶表示装置には、透過表示部がノーマリブラック、反射表示部がノーマリホワイトとなる課題がある。これを正常表示、すなわち、透過表示部も反射表示部も共にノーマリブラック、あるいはノーマリホワイトにするために、特許文献１，２に示される技術を採用するには、パネルの構成が複雑となる。他の解決策として考えられるのは、データラインから供給されるビデオ信号を透過表示部と反射表示部とで異なるものとすることであるが、これは信号処理及びパネルのデバイス構造が複雑になる。
【００１０】
本発明の目的は、透過表示部と反射表示部との間で表示の反転が生じることなく良好な表示を行うことができる横電界駆動方式の半透過型液晶表示装置を提供することである。
【課題を解決するための手段】
【００１１】
本発明に係る半透過型液晶表示装置は、素子基板と対向基板との間に液晶層を挟持し、反射表示部と透過表示部とを含む半透過型液晶表示装置であって、素子基板は、複数のデータラインと複数のゲートラインと、前記データラインと前記ゲートラインとの各交差箇所にそれぞれ配置された複数のスイッチング素子と、前記複数のスイッチング素子の各出力端にそれぞれ接続される複数の画素電極と、前記画素電極との間に電界をかけることで液晶分子を駆動するための共通電極と、を有し、前記共通電極は、反射表示用共通電極と、透過表示用共通電極とからなり、前記反射表示用共通電極の電位と前記透過表示用共通電極の電位は、互いに逆相であることを特徴とする。
【００１２】
また、本発明に係る半透過型液晶表示装置において、前記ゲートラインを共通にする前記反射表示用共通電極の電位と前記透過表示用共通電極の電位を互いに逆相とし、当該ゲートラインに選択信号が入力される直前の帰線期間中に電位を反転させ、選択信号が入力された後もその電位を１垂直期間の間保持させる制御回路を含むことが好ましい。
【００１３】
また、本発明に係る半透過型液晶表示装置は、素子基板と対向基板との間に液晶層を挟持し、反射表示部と透過表示部とを有する半透過型液晶表示装置であって、前記素子基板は、複数のデータラインと複数のゲートラインと、前記データラインと前記ゲートラインとの各交差箇所のそれぞれに対応して対をなして配置された複数のスイッチング素子と、前記一対のスイッチング素子の各出力端にそれぞれ接続される反射表示部と透過表示部のそれぞれに設けられた画素電極と、前記画素電極との間に電界がかけられることで液晶分子が駆動される複数の共通電極と、を有し、前記共通電極は、反射表示用共通電極と、透過表示用共通電極とからなり、前記反射表示用共通電極の電位と前記透過表示用共通電極の電位は、互いに逆相であることを特徴とする。
【００１４】
また、本発明に係る半透過型液晶表示装置において、前記ゲートラインごとの前記反射表示用共通電極は、表示領域の外側で反射表示用共通電極端子として互いに接続され、前記ゲートラインごとの前記透過表示用共通電極は、前記表示領域の外側で透過表示用共通電極端子として互いに接続され、前記反射表示用共通電極端子の電位と前記透過表示用共通電極端子の電位とは、互いに逆相で、かつ１水平期間ごとに電位が反転することが好ましい。
【００１５】
また、本発明に係る半透過型液晶表示装置において、前記ゲートラインの奇数行の前記反射表示用共通電極と偶数行の前記透過表示用共通電極とが、表示領域の外側で第１共通電極端子として互いに接続され、前記ゲートラインの偶数行の前記反射表示用共通電極と奇数行の前記透過表示用共通電極とが、前記表示領域の外側で第２共通電極端子として互いに接続され、前記第１共通電極端子の電位と前記第２共通電極端子の電位とは、互いに逆相で、かつ１画面走査ごとに電位が反転することが好ましい。
【００１６】
また、本発明に係る半透過型液晶表示装置において、前記反射表示用共通電極及び前記透過表示用共通電極は、所定の周期で交流駆動され、その電位が低電位にあるときには、前記画素電極に前記データラインより正極性電位が供給され、その電位が高電位にあるときには、前記画素電極に前記データラインより負極性電位が供給されることが好ましい。
【００１７】
また、本発明に係る半透過型液晶表示装置において、前記液晶層の厚さは、前記反射表示部が位相差Δｎｄ＝λ／４、前記透過表示部が位相差Δｎｄ＝λ／２であることが好ましい。
【発明の効果】
【００１８】
本発明に係る半透過型液晶表示装置によれば、反射表示部における反射表示用共通電極の電位と、透過表示部における透過表示用共通電極の電位は、互いに逆相であるので、透過表示部と反射表示部との間で表示の反転が生じることなく良好な表示が可能となる。
【発明を実施するための最良の形態】
【００１９】
以下に、図面を用いて本発明に係る実施の形態につき、詳細に説明する。以下では、ＦＦＳ方式の液晶表示装置で、カラーフィルタを有するものについて説明するが、もちろん、白黒表示を行うものであってもよい。また、ＦＦＳ方式以外の横電界駆動方式、例えばＩＰＳ方式の構成をとるものとしてもよい。
【００２０】
本発明に係る実施の形態の構成を説明するに先立ち、いわゆる横電界駆動方式において、透過表示部がノーマリブラック、反射表示部がノーマリホワイトとなる機構について、図１から図７を用いて説明する。ここで、図１から図４は、横電界駆動方式として、素子基板上に配置された画素電極と共通電極との間の電界で液晶分子を駆動するＦＦＳ方式の半透過型液晶表示装置１０，１１の構成を説明する図で、図１、図２は、画素電極の上に絶縁層を介しスリットを有する共通電極を配置する構成の場合、図３、図４は、共通電極の上に絶縁層を介しスリットを有する画素電極を配置する構成の場合である。
【００２１】
図１は、半透過型液晶表示装置１０において１サブピクセルの部分の断面図である。ここで、サブピクセルとは、例えば、Ｒ、Ｇ，Ｂでカラー表示を行う場合、Ｒ、Ｇ，Ｂに対応する各表示部分のことであり、いまの例では、Ｒのサブピクセル、Ｇのサブピクセル、Ｂのサブピクセルの３つを単位として、１ピクセルとなる。半透過型液晶表示装置１０は、透過表示部１２と、反射表示部１４とを含んで構成されている。図１の例では、半透過型液晶表示装置１０は、バックライト１６、素子基板２０、対向基板６０、素子基板２０と対向基板６０との間に挟持される液晶層５０、バックライト１６と素子基板２０との間に配置される素子基板側偏光板１８、対向基板６０の外側に配置される対向基板側偏光板１９を含んで構成されている。
【００２２】
対向基板６０は、半透過型液晶表示装置１０において、ユーザに面する側である。つまり、ユーザは、対向基板６０の側から、液晶層５０の光学的特性による明暗を視認する。図１において、透過表示部１２においては、バックライト１６からの光が、素子基板側偏光板１８、素子基板２０、液晶層５０、対向基板６０、対向基板側偏光板１９を経て、ユーザの目に達する。また、反射表示部１４においては、外光が、対向基板側偏光板１９、対向基板６０を経て液晶層５０に達し、素子基板２０の反射電極３８で反射され、再び液晶層５０、対向基板６０、対向基板側偏光板１９を経て、ユーザの目に達する。
【００２３】
対向基板６０は、いくつかの膜が積層されて構成される。図１の例では、対向基板側偏光板１９の側から素子基板２０の側に向かって、ガラス基板６２、ブラックマトリクス６４、カラーフィルタ６６、反射領域ギャップ調整層６８、スペーサ７０を含んで構成される。これらの材料、寸法、形成方法等は、一般的なアクティブマトリクス型液晶表示装置の製造方法として周知のものを用いることができるので、詳細な説明を省略する。
【００２４】
ここで、反射領域ギャップ調整層６８は、反射表示部１４の光路が透過表示部１２の光路の倍になることから、透過型表示モードでは半波長（λ／２）光変調を、反射型表示モードでは四分の一波長（λ／４）光変調を用いるために設けられるものである。図１に示されるように、反射領域ギャップ調整層６８を設けることで、反射表示部１４の液晶層５０の厚さと透過表示部１２の液晶層５０の厚さに差がでる。その液晶層５０の厚さは、反射表示部１４が位相差Δｎｄ＝λ／４、透過表示部１２が位相差Δｎｄ＝λ／２となるように、反射領域ギャップ調整層６８の厚さで調整が行われる。なお、この反射領域ギャップ調整の構造は、本発明の実施の形態についても同様に用いられる。
【００２５】
素子基板２０は、素子側基板とも、ＴＦＴ基板あるいはＴＦＴ側基板とも呼ばれ、スイッチング素子が配置される側の基板で、対向基板６０に対する基板である。素子基板２０の上には、周知の膜形成技術と、パターン形成技術によって、多層構造にパターン化された複数の膜が積層されている。
【００２６】
図１の例では、バックライト１６の側から液晶層５０の側に向かって、ガラス基板２２、半導体層２４、ゲート絶縁膜２６、ゲート電極２８、層間絶縁膜３０、ソース・ドレイン電極３２，３３、絶縁膜３４、画素電極３６、反射電極３８、ＦＦＳ絶縁膜４０、共通電極４２が順次形成されている。これらの材料、寸法、形成方法等は、一般的なアクティブマトリクス型液晶表示装置の製造方法として周知のものを用いることができるので、詳細な説明を省略する。
【００２７】
ここで、ＦＦＳ方式に関連する構成は、絶縁膜３４の上に形成される画素電極３６と、画素電極３６の上にＦＦＳ絶縁膜４０を介して配置される共通電極４２である。そして、半透過型液晶表示装置１０においては、反射表示部１４において、画素電極３６の上に反射電極３８が配置される。反射電極３８は、対向基板６０の側からの光を再び対向基板６０の側に反射して戻す機能を有する導電性反射膜である。また、反射表示部１４は、画素電極３６上に反射電極３８を配置した構成でなくてもよい。例えば、反射表示領域の反射電極３８の下の画素電極３６を除いた構成、あるいは反射層の上に直接あるいは絶縁層を挟んで画素電極３６が設けられた構成としてもよい。また、ＦＦＳ絶縁膜４０の上に形成される共通電極４２には、画素電極３６との間で電界を形成するためのスリット４３が設けられる。なお、図１には図示が省略されているが、共通電極４２の上には配向膜が設けられる。対向基板６０の液晶層５０に向き合う面についても同様に配向膜が設けられる。なお、反射電極３８以外は、透光性の良好な材料が用いられる。
【００２８】
また、図１の例では、反射電極３８は、画素電極３６の形成の後に画素電極３６の上に配置されるものとしているが、この順序を逆にして、反射電極３８の形成の後に画素電極３６を形成し、画素電極３６が反射電極３８の上に配置されるものとしてもよい。
【００２９】
ＦＦＳ方式に関する構成が、図２の平面図に示されている。ここでは、３つのサブピクセルからなる１つのピクセルについて、素子基板２０の積層構造の途中の工程における様子が順に示されている。なお、図１は、図２（ａ）に示すＡ−Ａ線に沿った断面図に相当する。図２（ａ）は、ソース・ドレイン電極３３の上に絶縁膜３４が形成されコンタクトホールが開けられた時点の様子、（ｂ）は、さらに画素電極３６と反射電極３８が形成された時点の様子、（ｃ）は共通電極４２が形成された時点の様子がそれぞれ示されている。なお、図２（ｃ）の例では、共通電極４２は、複数のピクセルにまたがって形成される様子が示されているが、これを各サブピクセルごとに分離するものとすることもできる。ただし、各共通電極に電位を供給するための補助配線が必要となる。
【００３０】
図２（ａ）に示されるように、各サブピクセルには、ゲートライン２９とデータライン３１とが互いに直交するようにして配線され、その交差箇所にスイッチング素子２５が配置される。ゲートライン２９は、スイッチング素子２５のところで、図１に示されるゲート電極２８となり、データライン３１は、図１に示されるソース・ドレイン電極３２に接続される。このように、半透過型液晶表示装置１０は、複数のゲートライン２９と複数のデータライン３１との各交差箇所にスイッチング素子２５がそれぞれ配置されており、いわゆるアクティブマトリクス表示装置である。なお、ゲートライン２９は、走査ライン、走査線、走査信号線とも呼ばれ、データライン３１は、信号ライン、信号線、ビデオ信号ライン、映像信号線等とも呼ばれる。
【００３１】
スイッチング素子２５は、図１に示される半導体層２４の上に形成されたゲート絶縁膜２６と、その上に設けられるゲート電極２８、及びソース・ドレイン電極３２，３３に接続されるソース・ドレインとから構成されるトランジスタ素子で、例えばＴＦＴ（Ｔｈｉｎ  Ｆｉｌｍ  Ｔｒａｎｓｉｓｔｏｒ）等で構成することができる。スイッチング素子２５のソース・ドレインは、いずれか一方、例えばドレインがデータライン３１に接続され、他方、例えばソースが画素電極３６に接続される。ドレインとソースとは互換性があるので、ソースがデータライン３１に接続され、ドレインが画素電極３６に接続されるものとしてもよい。スイッチング素子２５は、ゲートライン２９が選択されることでドレインとソース間が導通し、上記の例でドレインに接続されるデータライン３１からのビデオ信号が画素電極３６に供給される。
【００３２】
また、ＦＦＳ方式に関する構成において、画素電極３６と共通電極４２との関係を逆にすることもできる。すなわち、ガラス基板２２から液晶層５０の側に向かって、絶縁膜３４、共通電極４２、反射電極３８、ＦＦＳ絶縁膜４０、画素電極３６の順に形成するものとできる。その様な構成の半透過型液晶表示装置１１の様子を図３、図４に示す。図３には、その場合の素子基板２１の断面図を、図４は、図２に相当する平面図である。これらに示されるように、共通電極４２の形成の後に反射電極３８が形成され、その後にＦＦＳ絶縁膜４０が積まれて、その上にスリット３７を有する画素電極３６が形成される。なお、画素電極３６の上に図示されていない配向膜が形成されること、反射電極３８を共通電極４２の前に形成することができることは、図２で説明したのと同様である。
【００３３】
以上の構成の半透過型液晶表示装置１０，１１の表示について以下に説明する。ここで、偏光板の偏光軸と液晶分子の配向軸との関係は、通常、以下のように設定される。すなわち、ガラス基板２２，６２の外側の２つの偏光板、すなわち素子基板側偏光板１８と対向基板側偏光板１９とは、偏光軸が互いに直交するように、かつ、どちらかの偏光板の偏光軸は、液晶層５０への駆動電圧がオフした状態で液晶分子の配向軸と平行になるように設定されている。そして、駆動電圧がオンした状態での液晶分子の配向軸は、その偏光軸に対し４５度傾くように構成される。
【００３４】
この構成で、透過表示部１２において、駆動電圧がオフの状態では、バックライト１６から素子基板側偏光板１８を通って入射した光が液晶層５０を通過する際、位相差が生じないので、対向基板側偏光板１９に吸収され黒表示となる（ノーマリブラック）。ここで上記のように、透過表示部１２においては、液晶層５０の厚さが位相差Δｎｄ＝λ／２となるように調整されているので、駆動電圧がオンの状態では、液晶層５０を通過することでλ／２の位相差を生じ、９０度回転した直線偏光となって、対向基板側偏光板１９を通過し、白表示となる。
【００３５】
これに対し、液晶層５０の厚さがΔｎｄ＝λ／４となるように調整されている反射表示部１４においては以下のようになる。対向基板側偏光板１９を通って入射した光は、駆動電圧がオフの状態では、液晶層５０を通過する際位相差を生じないので、反射光は直線偏光の状態のままで戻され、対向基板側偏光板１９を通過して白表示となる（ノーマリホワイト）。駆動電圧がオンの状態では、入射した光は液晶層５０を通過する際、λ／４の位相差を生じるので、右回りの円偏光となる。さらに、反射電極３８で反射され左回りの円偏光となり、液晶層５０を再び通過する際に９０度回転して直線偏光に戻され、この場合には対向基板側偏光板１９を通過できず、黒表示となる。
【００３６】
このように、透過表示部１２と、反射表示部１４とでは、駆動電圧、すなわち液晶印加電圧に対し、透過率の変化が逆になる。その様子を模式的に図５に示す。図５では、透過表示部１２における透過率特性がＴで示され、反射表示部１４における透過率特性がＲで示されている。上記のように、液晶印加電圧がかからないノーマリ状態において、Ｔで表示される透過表示部１２は透過率が低く黒表示となり、いわゆるノーマリブラックとなる一方、Ｒで表示される反射表示部１４は透過率が高く白表示となり、いわゆるノーマリホワイトとなる。このように、同じサブピクセル内において、ノーマリ状態で異なる表示が生じることになる。これが従来技術のところで述べた、横電界駆動方式の半透過型液晶表示装置の課題であり、本発明の課題でもある。
【００３７】
ここで、液晶表示装置の駆動方法について述べる。図６は、画素の等価回路である。ここで、いまの場合、画素は１サブピクセルを指す。以下では、図１から図５の符号を用いて説明する。画素であるサブピクセルは、上記のように、Ｇａｔｅとして示されるゲートライン２９と、Ｖｉｄｅｏとして示されるデータライン３１の交差箇所にスイッチング素子２５が配置され、スイッチング素子２５の出力端に接続される画素電極３６と、共通電極４２との間に容量が形成される。図６では、透過表示部１２における保持容量がＴＣSC、液晶容量がＴＣLC、反射表示部１４における保持容量がＲＣSC、液晶容量がＲＣLCとして示されている。保持容量ＴＣSCとＲＣSCは、ＦＦＳ絶縁膜４０を介して画素電極３６と共通電極４２との間で形成される。
【００３８】
この等価回路で、図示されていない駆動回路によってゲートライン２９が選択されると、スイッチング素子２５が導通状態となり、各容量ＴＣSC、ＴＣLC、ＲＣSC、ＲＣLCには、データライン３１と共通電極４２との間の電位差に応じた電荷が蓄積され、各サブピクセルの領域の液晶層５０には、画素電極３６と共通電極４２の間の電位差に応じた電界が印加される。なお、ゲートライン２９が選択されていない保持期間においては、画素電極３６の電位は、これらの容量ＴＣSC、ＴＣLC、ＲＣSC、ＲＣLCによって保持される。
【００３９】
液晶表示装置においては、焼付等の表示劣化を抑制するため、共通電極４２の電位である共通電位に対して高電位側の映像信号電圧（正極性）と低電位側の映像信号電圧（負極性）を、所定の周期で画素電極３６の電位である画素電位として交互に入力することが行われる。つまり、液晶層５０は、交流駆動される。この液晶層５０に対する交流駆動方式として、以下の２通りの方法をとることができる。
【００４０】
１つは、共通電極４２の電位を所定の値に固定するもので、画素電極３６に印加する映像信号電圧を正極性から負極性まで変化させる方式で、共通電極ＤＣ駆動法と呼ばれるものである。もう１つは、共通電極電位も所定の周期で高電位と低電位との間で変化させるもので、共通電極ＡＣ駆動法と呼ばれるものである。この場合には、共通電極電位が高電位にあるとき、映像信号電圧としては負極性電位が用いられ、逆に共通電極電位が低電位にあるとき、映像信号電圧としては正極性電位が用いられる。一般的には、共通電極ＡＣ駆動法の方が、共通電極ＤＣ駆動法に比較して、映像信号の出力振幅を小さくでき、回路の消費電力を抑制し、回路のコストも低減できる。
【００４１】
また、１垂直期間周期で映像信号電圧を正極性と負極性との間で反転させる方式をフレーム反転駆動法と呼び、１水平期間周期で映像信号電圧を正極性と負極性との間で反転させる方式をＨライン反転駆動法と呼ばれる。
【００４２】
ここで、共通電極ＡＣ駆動法を用い、さらにＨライン反転駆動法を用いることで、焼付等を抑制でき、また映像信号振幅を小さくでき、さらに、表示画面の平均化によって画面のざらつき等を抑制できる。そこで、特別に断らない限り、共通電極ＡＣ駆動法を用い、さらにＨライン反転駆動法を用いるものとして、以下を説明する。
【００４３】
図７は、共通電極ＡＣ駆動法を用いる場合について、共通電位の変化と、透過表示部の表示状態及び反射表示部の表示状態の対応を、横軸に時間をとって示す図である。図７において、実線は共通電極電位を示し、破線は画素電極電位を示す。そして、ＣＯＭ−Ｈは共通電極電位が高電位にあるとき、ＣＯＭ−Ｌは共通電極電位が低電位にあるときを示す。図７に示されるように、透過表示用共通電極及び反射表示用共通電極には、同じ電位が供給されて、所定の同じ周期で交流駆動される。ここで、映像信号も１つのデータラインから透過表示用画像電極及び反射表示用画像電極に同じものが供給される。
【００４４】
例えば、共通電極電位が低電位、すなわちＣＯＭ−Ｌにあるときで、画素電極電位が高電位にあるときを考える。このとき、透過表示部でも反射表示部でも、液晶印加電圧が大となるので、図５で説明したように、透過表示部においては透過率が大となって白表示となるが、反射表示部においては透過率が小となって黒表示となる。なお、図７では、「Ｂ」としてブラック表示を、「Ｗ」としてホワイト表示を示してある。また、共通電極電位が高電位、すなわちＣＯＭ−Ｈにあるときで、画素電極電位が高電位にあるときを考えると、透過表示部でも反射表示部でも、液晶印加電圧が小となるので、透過表示部においては透過率が小となって黒表示となるが、反射表示部においては透過率が大となって白表示となる。このように、具体的な液晶駆動においても、透過表示部と反射表示部との間において表示が反転することが生じる。
【００４５】
以下に、本発明の実施の形態について説明する。以下では、図１から図７で説明したと同様の要素には同一の符号を付し、詳細な説明を省略する。図８は、本発明の実施の形態の基本的な概念を説明する図である。すなわち、共通電極を透過表示部と反射表示部とで分離し、それぞれに独立の電位を与えられるようにする。具体的には、透過表示部１２のための共通電極を透過表示用共通電極４２と呼び、反射表示部１４のための共通電極を反射表示用共通電極４１と呼ぶことにすると、透過表示用共通電極４２の電位と、反射表示用共通電極４１の電位とを互いに逆相とする。図８では、透過表示用共通電極４２がＣＯＭとして示され、反射表示用共通電極４１がＸＣＯＭとして示されているが、ここでＸは、逆相であることを示している。
【００４６】
ここで、互いに逆相とは、一方が高電位であるとき他方が低電位にあり、逆に一方が低電位にあるとき他方が高電位にある関係を指す。一方の電圧振幅の大きさと他方の電圧振幅の大きさとは異なっていてもよい。また、一方の電圧振幅の中心電圧と他方の電圧振幅の中心とが異なっていてもよい。
【００４７】
このように、透過表示用共通電極の電位と、反射表示用共通電極の電位とを互いに独立に、かつ互いに逆相とするときの共通電位の変化と、透過表示部の表示状態及び反射表示部の表示状態の対応を図９に示す。図９は、図７に対応する図である。ここでは、透過表示部の共通電極である透過表示用共通電極ＣＯＭの電位と、反射表示部の共通電極である反射表示用共通電極ＸＣＯＭの電位とが、互いに逆相となっている。映像信号は、透過表示部にも反射表示部にも同じ信号が供給されている。
【００４８】
例えば、透過表示用共通電極ＣＯＭの電位が低電位、すなわちＣＯＭ−Ｌにあるときで、画素電極電位が高電位にあるときを考えると、液晶印加電圧が大となるので、図５で説明したように透過率が大となって白表示となる。このとき、同じ時間において、反射表示用共通電極ＸＣＯＭの電位は高電位、すなわちＸＣＯＭ−Ｈにある。したがって、液晶印加電圧が小となるので、図５で説明したように透過率が大となって白表示となる。同様に、画素電極電位が低電位にあると、透過表示部でも反射表示部でも黒表示となる。別の時間で、ＣＯＭ−Ｈ，ＸＣＯＭ−Ｌにあるときでも、同様に、透過表示部が黒表示のときは反射表示部も黒表示となり、透過表示部が白表示のときは反射表示部も白表示となる。
【００４９】
このように、透過表示用共通電極の電位と、反射表示用共通電極の電位とを互いに独立に、かつ互いに逆相とすることで、横電界駆動方式を用いる半透過型液晶表示装置において、透過表示部と反射表示部の表示の反転をなくし良好な表示を行うことができる。以下では、この基本原理の下での具体的な構成の実施例について説明する。
【実施例１】
【００５０】
図１０は、図１の構成において、共通電極を透過表示部１２と反射表示部１４とで独立のものとして分離した様子を示す図である。以下では、図１から図９におけるのと同様の要素には同一の符号を付して詳細な説明を省略すると共に、図１から図９までの符号を用いて説明する。図１０は、図２（ｃ）に対応するもので、画素電極３６の上にＦＦＳ絶縁膜４０を介して２種類に区別された共通電極４１，４２が設けられる構成であり、ここで透過表示部１２には透過表示用共通電極４２が、反射表示部１４には反射表示用共通電極４１がそれぞれ相互に分離して設けられる。なお、スリット４３は、透過表示用共通電極４２にも反射表示用共通電極４１にも設けられる。また、共通電極がこのように２つに分離されることを除き、図１の他の構成等には特別な変更がない。
【００５１】
図１１は、図４（ｃ）に対応するもので、２種類に区別された共通電極４１，４２の上にＦＦＳ絶縁膜を介して画素電極３６が設けられる構成であり、ここで透過表示部１２には透過表示用共通電極４２が、反射表示部１４には反射表示用共通電極４１がそれぞれ相互に分離して設けられる。また、共通電極がこのように２つに分離されることを除き、図１の他の構成等には特別な変更がない。
【００５２】
図１２は、半透過型液晶表示装置の表示駆動に関する構成を示す図である。ここでは、表示領域８０と、ゲートライン制御回路８２と、データライン制御回路８４と、共通電極制御回路８６とが示されている。表示領域８０は、複数のゲートライン２９と複数のデータライン３１との交差箇所にそれぞれスイッチング素子２５がマトリクス状に配置された表示部分である。ゲートライン制御回路８２は、複数のゲートライン２９について所定の走査方法で順次選択する機能を有する制御回路である。ここで、複数のゲートライン２９は、「Ｇａｔｅ  Ｎ」等で示されている。データライン制御回路８４は、映像信号を所定の方法に従って複数のデータライン３１に供給する機能を有する制御回路である。
【００５３】
なお、図１２において、透過表示部１２における容量は、まとめて「ＴＣ」として示し、同様に反射表示部１４における容量は、まとめて「ＲＣ」として示されている。そして、同じゲートラインについて、複数のサブピクセルの各「ＴＣ」は、それぞれ透過表示用共通電極４２に接続され、各「ＲＣ」は、それぞれ反射表示用共通電極４１に接続される。すなわち、各ゲートラインごとに、１本の透過表示用共通電極４２と、１本の反射表示用共通電極４１とが設けられる。
【００５４】
なお、図１２では、透過表示用共通電極４２に「ＴＣＯＭ」の記号を、反射表示用共通電極４１に「ＲＣＯＭ」の記号を付し、これに各ゲートライン２９を区別する「Ｎ」等を付してそれぞれを区別してある。例えば、ゲートライン「Ｎ＋２」に対応する透過表示用共通電極は「ＴＣＯＭ  Ｎ＋２」、反射表示用共通電極は「ＲＣＯＭ  Ｎ＋２」として示されている。
【００５５】
透過表示用共通電極４２は、複数のサブピクセルにまたがって設けられればよく、反射表示用共通電極４１も、複数のサブピクセルにまたがって設けられればよいので、場合によっては、各ゲートラインごとに、複数の透過表示用共通電極と反射表示用共通電極を設けるものとしてもよい。
【００５６】
図１３は、図１２の構成におけるタイミングチャートで、各ゲートラインの電位の変化と、各透過表示用共通電極および各反射表示用共通電極の電位の変化を示す図である。図１３における上半分のタイミングチャートは、「Ｇａｔｅ  Ｎ」から「Ｇａｔｅ  Ｎ＋３」の各ゲートラインが順次選択される様子を示すもので、ＴHは１水平期間を示し、ＴVは１画面走査期間、すなわち１垂直期間を示す。図１３の下半分のタイミングチャートは、上半分のタイミングチャートと原点を合わせた時間軸で、各透過表示用共通電極および各反射表示用共通電極の電位の変化を示す図である。
【００５７】
各ゲートラインに対応する透過表示用共通電極の電位と反射表示用共通電極の電位とは、１組として、１垂直期間ごとに変化する。例えば、「Ｇａｔｅ  Ｎ」に対応する１組の透過表示用共通電極の電位と反射表示用共通電極の電位は、「Ｇａｔｅ  Ｎ」に選択信号が入力される直前の帰線期間中に電位を反転させ、選択信号が入力された後もその電位を１垂直期間の間保持される。
【００５８】
そして、その１組の透過表示用共通電極の電位と反射表示用共通電極の電位とは、互いに逆相である。また、「Ｇａｔｅ  Ｎ」に対応する１組の透過表示用共通電極の電位と反射表示用共通電極の電位と、これに隣接する「Ｇａｔｅ  Ｎ＋１」に対応する１組の透過表示用共通電極の電位と反射表示用共通電極の電位との関係は、互いに逆となっている。例えば、「Ｇａｔｅ  Ｎ」に対応する透過表示用共通電極「ＴＣＯＭ  Ｎ」の電位をＨとするとその反射表示用共通電極「ＲＣＯＭ  Ｎ」の電位はＬである。また、同じタイミングにおいて、「Ｇａｔｅ  Ｎ＋１」に対応する透過表示用共通電極「ＴＣＯＭ  Ｎ＋１」の電位はＬであり、その反射表示用共通電極「ＲＣＯＭ  Ｎ＋１」の電位はＨである。
【００５９】
共通電位反転時には、容量結合により共通電極電位の変化に応じて画素電極電位も変化し、結果として液晶層５０に印加される電圧が一定になることが必要である。上記のように、１つの画素電極３６に対し、透過表示部１２と反射表示部１４とに互いに逆相の共通電位が供給される場合、液晶層５０に印加される電圧が変化することが考えられる。しかし、上記のタイミングチャート構成によれば、共通電位の反転の直後に次のフレームの映像信号が入力されるので、実際の表示にはこの電圧変動の影響を抑制することができる。
【００６０】
なお、映像信号は、ゲート選択に合わせ、隣接するゲート選択で、正極性と負極性とが反転される。例えば、「Ｇａｔｅ  Ｎ」が選択されて、そのゲートラインに対応する透過表示部に負極性映像信号が入力されるとする。なお、このとき、対応する反射表示部は、共通電極電位が逆相となっているので、正極性書き込みとなる。そして次に、「Ｇａｔｅ  Ｎ＋１」が選択されるときには、そのゲートラインに対応する透過表示部に正極性映像信号が入力される。なお、このとき、対応する反射表示部は、共通電極電位が逆相となっているので、負極性書き込みとなる。
【００６１】
このようなタイミングチャートで、共通電極制御回路８６が動作することで、Ｈライン反転駆動を行いながら、透過表示部１２と反射表示部１４との間で表示の反転が生じないようにし、良好な表示を行うことができる。
【実施例２】
【００６２】
実施例１の場合には、透過表示部と反射表示部とに互いに逆相の共通電位が供給されるので、１水平期間ごとに液晶層にかかる電圧が変化し、場合によっては表示品質に影響を与える可能性がある。そこで、１サブピクセルに２つのスイッチング素子を設ければ、透過表示部と反射表示部において、画素電極も独立にすることで、共通電位反転時に液晶層にかかる電圧をより一定にすることができる。図１４は、その様子を示す図である。以下では、図１から図１３までで説明した要素と同様の要素には同一の符号を付して詳細な説明を省略し、また、図１から図１３までの符号を用いて説明する。ここでは、１つのゲートライン２９に対し、２つのスイッチング素子２３，２５が設けられ、一方のスイッチング素子２３は透過表示部１２のためのものでその出力端は、透過表示部１２の容量ＴＣを介して透過表示用共通電極４２に接続され、他方のスイッチング素子２５は反射表示部１４のためのものでその出力端は、反射表示部１４の容量ＲＣを介して反射表示用共通電極４１に接続される。
【００６３】
図１５は、具体的構成を示す平面図で、図２に対応して、画素電極の上にＦＦＳ絶縁膜を介して共通電極が形成される場合である。ここでは、２つのスイッチング素子２３，２５が形成され、これに対応して２つの画素電極３６，４４と、２つの共通電極４１，４２が形成される様子が示される。図１５（ａ）は、透過表示部１２と反射表示部１４にそれぞれ対応して、２つのスイッチング素子２３，２５が形成され、これらに対応するソース・ドレイン電極３３，３５の上に絶縁膜３４が形成され、２つの画素電極３６，４４に対応して２つのコンタクトホール等が開けられた時点の様子を示し、（ｂ）は、さらに２つの画素電極３６，４４と反射電極３８が形成された時点の様子、（ｃ）は２つの共通電極４２，４１が形成された時点の様子がそれぞれ示されている。ここで、２つの共通電極４２，４１は、それぞれ表示領域の外側に引き出され、後述のように、共通配線制御回路において所定の接続がなされる。
【００６４】
図１６は、図４に対応し、共通電極の上にＦＦＳ絶縁膜を介して画素電極が形成される場合の具体的構成の平面図である。２つのスイッチング素子の形成、２つのコンタクトホール等が開けられる様子は、図１５（ａ）と同じであるので、図示を省略し、図１６（ａ）には、透過表示部１２と反射表示部１４にそれぞれ対応して、２つの共通電極４２，４１が形成され、さらに反射電極３８が形成された時点の様子が示されている。ここでも、２つの共通電極４２，４１は、それぞれ表示領域の外側に引き出され、後述のように、共通配線制御回路において所定の接続がなされる。図１６（ｂ）は、透過表示部１２と反射表示部１４にそれぞれ対応して、２つの画素電極３６，４４が形成された時点の様子がそれぞれ示されている。
【００６５】
図１６（ｂ）の変形例を図１７に示す。共通電極、画素電極等の透明導電膜としては、ＩＴＯ（インジウムチタンオキサイド）またはＩＺＯ（インジウム亜鉛オキサイド）が用いられるが、これらは一般的に抵抗が高いので、共通電極を表示領域の外側に引き出す場合にその抵抗値が問題になる可能性がある。これに対し、共通電極に接触して形成される反射電極は、アルミニウム、アルミニウム合金、銀等が用いられ、ＩＴＯ，ＩＺＯに比較して抵抗値が低い。そこで、反射電極を共通電極の抵抗を低下させるために用いることがよい。
【００６６】
図１７には、反射表示部１４においてその幅一杯に反射電極４６が配置され、透過表示部１２において、反射電極４６と同じ材料の引出線４７が配置される様子が示されている。このようにすることで、共通電極４２，４１を表示領域の外側に引き出すときの抵抗を下げることができる。
【００６７】
図１８は、１サブピクセルに透過表示部用のスイッチング素子と反射表示部用のスイッチング素子を設けた半透過型液晶表示装置の表示駆動に関する構成を示す図で、図１２に対応するものである。以下では図１から図１７で説明した要素と同様の要素には同じ符号を付して詳細な説明を省略するとともに、図１から図１７の符号を用いて説明する。ここでは、各サブピクセルごとに透過表示部１２用のスイッチング素子２３と反射表示部１４用のスイッチング素子２５とがそれぞれ設けられ、各ゲートライン２９ごとに、透過表示部１２のための透過表示用共通電極４２と、反射表示部１４のための反射表示用共通電極４１がそれぞれ表示領域８０の外側に引き出され、共通電極制御回路８８に導かれる様子が示される。
【００６８】
そして、各ゲートラインごとの透過表示用共通電極４２は、表示領域８０の外で互いに接続され、透過表示用共通電極端子９０とされる。同様に、各ゲートラインごとの反射表示用共通電極４１は、表示領域８０の外で互いに接続され、反射表示用共通電極端子９１とされる。図１８では、透過表示用共通電極端子９０がＴＣＯＭとして示され、反射表示用共通電極端子９１がＲＣＯＭとして示されている。これらは、端子という名称を有するが、単に接続された状態であってもよい。
【００６９】
図１９は、図１８の構成におけるタイミングチャートで、図１３に対応するものである。図１９においては、各ゲートラインの電位の変化と、透過表示用共通電極端子ＴＣＯＭの電位および反射表示用共通電極端子ＲＣＯＭの電位の変化が示されている。以下では図１から図１８で説明した要素と同様の要素には同じ符号を付して詳細な説明を省略するとともに、図１から図１８の符号を用いて説明する。
【００７０】
透過表示用共通電極端子ＴＣＯＭの電位と反射表示用共通電極端子ＲＣＯＭの電位とは、１組として、１水平期間ごとに変化する。そして、例えば、「Ｇａｔｅ  Ｎ」に選択信号が入力される直前の帰線期間中に電位を反転させ、選択信号が入力された後もその電位を１水平期間の間保持される。また、その１組の透過表示用共通電極端子ＴＣＯＭの電位と反射表示用共通電極端子ＲＣＯＭの電位とは、互いに逆相である。
【００７１】
なお、映像信号は、ゲート選択に合わせ、１水平期間ごとに極性が反転される。例えば、「Ｇａｔｅ  Ｎ」が選択されて、そのゲートラインに対応する透過表示部に負極性映像信号が入力されるとする。なお、このとき、対応する反射表示部は、共通電極電位が逆相となっているので、正極性書き込みとなる。そして次に、「Ｇａｔｅ  Ｎ＋１」が選択されるときには、そのゲートラインに対応する透過表示部に正極性映像信号が入力される。なお、このとき、対応する反射表示部は、共通電極電位が逆相となっているので、負極性書き込みとなる。
【００７２】
このようなタイミングチャートで、共通電極制御回路８８が動作することで、Ｈライン反転駆動を行いながら、透過表示部１２と反射表示部１４との表示が食い違わないようにし、良好な表示を行うことができる。
【実施例３】
【００７３】
実施例２の例の場合は、１水平期間ごとに共通電極電位が反転される。したがって、１水平期間が短くなるにつれて、反転の際の立上がり時間及び立ち下がり時間の影響が現れやすい。そこで、この問題は一般的な液晶表示装置の駆動方法でも共通の課題であるため、たとえば、表示領域内でゲートラインの各行ごとに独立した共通電極線を、表示領域外で偶数ライン同士、奇数ライン同士で接続し、１垂直期間ごとに反転する共通電極電位信号をそれぞれに入力する方法が、例えば、特開２００１−３５６３５６号公報に提案されている。ここでは、偶数ライン同士で接続されたものの共通電極電位と、奇数ライン同士
で接続されたものの共通電極電位とは、互いに逆相である。そして、共通電極電位の反転は、上記のように、１垂直期間、すなわち１画面走査ごとに行われる。ここで独立した共通電極配線とは、ピクセルごとに独立した配線を指している。
【００７４】
図２０は、上記提案を半透過型液晶表示装置に適用できるように変更した構成を示す図で、図１８に対応するものである。以下では図１から図１９までに説明した要素と同様の要素には同一の符号を付し、また図１から図１９までの符号を用いて説明する。ここでは、ゲートライン２９の奇数行の反射表示用共通電極４１と偶数行の透過表示用共通電極４２とが、表示領域８０の外側で第１共通電極端子９４として互いに接続され、ゲートライン２９の偶数行の反射表示用共通電極４１と奇数行の透過表示用共通電極４２とが、表示領域８０の外側で第２共通電極端子９５として互いに接続される様子が示されている。
【００７５】
図２０の場合には、図１８と同様に、各ゲートライン２９ごとに、透過表示部１２のための透過表示用共通電極４２と、反射表示部１４のための反射表示用共通電極４１がそれぞれ表示領域８０の外側に引き出され、共通電極制御回路９２に導かれている。上記の偶数、奇数は相対的なもので、図２０の場合には、第１共通電極端子９４は、１行目、３行目、５行目等の反射表示用共通電極４１と、２行目、４行目、６行目等の透過表示用共通電極４２とが相互に接続されており、第２共通電極端子９５は、２行目、４行目、６行目等の反射表示用共通電極４１と、１行目、３行目、５行目等の透過表示用共通電極４２とが相互に接続されている。なお、図２０には、第１共通電極端子９４がＣＯＭとして示され、第２共通電極端子９５がＸＣＯＭとして示されている。
【００７６】
図２１は、図２０の構成におけるタイミングチャートで、図１９に対応するものである。図２１においては、各ゲートラインの電位の変化と、第１共通電極端子ＣＯＭの電位および第２共通電極端子ＸＣＯＭの電位の変化が示されている。以下では図１から図１８で説明した要素と同様の要素には同じ符号を付して詳細な説明を省略するとともに、図１から図１８の符号を用いて説明する。
【００７７】
第１共通電極端子ＣＯＭの電位と第２共通電極端子ＸＣＯＭの電位とは、１組として、１垂直期間ごと、すなわち１画面走査ごとに変化する。そして、例えば、「Ｇａｔｅ  １」に選択信号が入力される直前の帰線期間中に電位を反転させ、選択信号が入力された後もその電位を１垂直期間の間保持される。また、その１組の第１共通電極端子ＣＯＭの電位と第２共通電極端子ＸＣＯＭの電位とは、互いに逆相である。
【００７８】
なお、映像信号は、ゲート選択に合わせ、１水平期間ごとに極性が反転される。例えば、「Ｇａｔｅ  １」が選択されて、そのゲートラインに対応する透過表示部に負極性映像信号が入力されるとする。なお、このとき、対応する反射表示部は、共通電極電位が逆相となっているので、正極性書き込みとなる。そして次に、「Ｇａｔｅ  ２」が選択されるときには、そのゲートラインに対応する透過表示部に正極性映像信号が入力される。なお、このとき、対応する反射表示部は、共通電極電位が逆相となっているので、負極性書き込みとなる。
【００７９】
このようなタイミングチャートで、共通電極制御回路９２が動作することで、Ｈライン反転駆動を行いながら、透過表示部１２と反射表示部１４との表示が食い違わないようにし、良好な表示を行うことができる。
【図面の簡単な説明】
【００８０】
【図１】横電界駆動方式において、透過表示部がノーマリブラック、反射表示部がノーマリホワイトとなる機構について説明するための半透過型液晶表示装置の断面図である。
【図２】図１に対応する平面図である。
【図３】図１とは別の構造の断面図である。
【図４】図３に対応する平面図である。
【図５】液晶表示において駆動電圧と透過率の関係を模式的に説明する図である。
【図６】従来技術の液晶表示装置における画素の等価回路である。
【図７】従来技術の半透過型液晶表示装置において、共通電位の変化と、透過表示部の表示状態及び反射表示部の表示状態の対応を、横軸に時間をとって示す図である。
【図８】本発明に係る実施の形態における画素の等価回路である。
【図９】本発明に係る実施の形態において、共通電位の変化と、透過表示部の表示状態及び反射表示部の表示状態の対応を、横軸に時間をとって示す図である。
【図１０】本発明に係る実施の形態において、共通電極を透過表示部と反射表示部とで独立のものとして分離した様子を示す図である。
【図１１】本発明に係る実施の形態において、２種類に区別された共通電極の上にＦＦＳ絶縁膜を介して画素電極が設けられる様子を示す図である。
【図１２】本発明に係る実施の形態において、半透過型液晶表示装置の表示駆動に関する構成を示す図である。
【図１３】図１２の構成に対応する共通電極電位のタイミングチャートである。
【図１４】別の実施の形態における画素の等価回路である。
【図１５】別の実施の形態における構成の平面図である。
【図１６】別の実施の形態において、他の構成の平面図である。
【図１７】図１６の変形例を示す図である。
【図１８】別の実施の形態において、半透過型液晶表示装置の表示駆動に関する構成を示す図である。
【図１９】図１８の構成に対応する共通電極電位のタイミングチャートである。
【図２０】他の実施の形態において、半透過型液晶表示装置の表示駆動に関する構成を示す図である。
【図２１】図２０の構成に対応する共通電極電位のタイミングムチャートである。
【符号の説明】
【００８１】
１０，１１  半透過型液晶表示装置、１２  透過表示部、１４  反射表示部、１６  バックライト、１８  素子基板側偏光板、１９  対向基板側偏光板、２０，２１  素子基板、２２，６２  ガラス基板、２３，２５  スイッチング素子、２４  半導体層、２６  ゲート絶縁膜、２８  ゲート電極、２９  ゲートライン、３０  層間絶縁膜、３１  データライン、３２，３３，３５  ソース・ドレイン電極、３４  絶縁膜、３６，４４  画素電極、３７，４３  スリット、３８，４６  反射電極、４０  ＦＦＳ絶縁膜、４１，４２  共通電極、４７  引出線、５０  液晶層、６０  対向基板、６４  ブラックマトリクス、６６  カラーフィルタ、６８  反射領域ギャップ調整層、７０  スペーサ、８０  表示領域、８２  ゲートライン制御回路、８４  データライン制御回路、８６，８８，９２  共通電極制御回路、９０  透過表示用共通電極端子、９１  反射表示用共通電極端子、９４  第１共通電極端子、９５  第２共通電極端子。
【図１】
2008165054.tif 000003
【図２】
2008165054.tif 000004
【図３】
2008165054.tif 000005
【図４】
2008165054.tif 000006
【図５】
2008165054.tif 000007
【図６】
2008165054.tif 000008
【図７】
2008165054.tif 000009
【図８】
2008165054.tif 000010
【図９】
2008165054.tif 000011
【図１０】
2008165054.tif 000012
【図１１】
2008165054.tif 000013
【図１２】
2008165054.tif 000014
【図１３】
2008165054.tif 000015
【図１４】
2008165054.tif 000016
【図１５】
2008165054.tif 000017
【図１６】
2008165054.tif 000018
【図１７】
2008165054.tif 000019
【図１８】
2008165054.tif 000020
【図１９】
2008165054.tif 000021
【図２０】
2008165054.tif 000022
【図２１】
2008165054.tif 000023